(57)【要約】  室外機は、筐体と、回転翼によって筐体内を通過する空気の流れを形成する軸流送風機と、上下方向に間隔をあけて配置された複数の扁平管を有し、軸流送風機の回転軸に対して半径方向に配置されると共に、軸流送風機の形成する空気の流れにおいて軸流送風機の風上側に配置される熱交換器と、を備え、複数の扁平管のそれぞれは、軸流送風機の配置側に位置する第１端部と、第１端部に対して、熱交換器を通過する空気の流れの風上側に位置する第２端部と、を通る長軸を有する扁平形状であり、回転翼の先端部が描く回転円において、熱交換器に最も近い位置となる対向部の接線であって、回転翼の回転方向のベクトルを第１ベクトルと定義し、複数の扁平管の中で対向部に最も近い位置に配置された第１扁平管において、第２端部を基点として第１端部を通過するベクトルを第２ベクトルと定義した場合に、第１ベクトルと第２ベクトルとのなす角が９０度未満である。
2020136797.tif 000002
【特許請求の範囲】
【請求項１】
筐体と、
前記筐体の内部に配置され、仮想の回転軸に対して半径方向に配置された複数の回転翼によって前記筐体内を通過する空気の流れを形成する軸流送風機と、
上下方向に間隔をあけて配置された複数の扁平管を有し、前記筐体の内部において前記軸流送風機の前記回転軸に対して半径方向に配置されると共に、前記軸流送風機の形成する空気の流れにおいて前記軸流送風機の風上側に配置される熱交換器と、
を備え、
前記複数の扁平管のそれぞれは、
前記軸流送風機の配置側に位置する第１端部と、前記第１端部に対して、前記熱交換器を通過する空気の流れの風上側に位置する第２端部と、を通る長軸を有する扁平形状であり、
前記回転翼の先端部が描く回転円において、前記熱交換器に最も近い位置となる対向部の接線であって、前記回転翼の回転方向のベクトルを第１ベクトルと定義し、
前記複数の扁平管の中で前記対向部に最も近い位置に配置された第１扁平管において、前記第２端部を基点として前記第１端部を通過するベクトルを第２ベクトルと定義した場合に、前記第１ベクトルと前記第２ベクトルとのなす角が９０度未満である室外機。
【請求項２】
前記第１扁平管の前記長軸は、
前記回転翼の回転方向に向かって傾斜する請求項１に記載の室外機。
【請求項３】
前記筐体は、
前記熱交換器及び前記軸流送風機の上方を覆う天面パネルと、
前記熱交換器及び前記軸流送風機の下方に配置される底板と、
を有し、
前記第１扁平管の前記長軸は、
前記第１端部が、前記上下方向において、前記第２端部よりも上側に位置するように傾斜しており、
前記軸流送風機は、
前記回転翼が、前記熱交換器と隣接する位置、前記天面パネルと隣接する位置、前記底板と隣接する位置の順となる回転方向に回転する請求項１又は２に記載の室外機。
【請求項４】
前記筐体は、
前記熱交換器及び前記軸流送風機の上方を覆う天面パネルと、
前記熱交換器及び前記軸流送風機の下方に配置される底板と、
を有し、
前記第１扁平管の前記長軸は、
前記第１端部が、前記上下方向において、前記第２端部よりも下側に位置するように傾斜しており、
前記軸流送風機は、
前記回転翼が、前記天面パネルと隣接する位置、前記熱交換器と隣接する位置、前記底板と隣接する位置の順となる回転方向に回転する請求項１又は２に記載の室外機。
【請求項５】
前記複数の扁平管のそれぞれの前記第２端部を通る仮想水平面を第１仮想水平面と定義した場合に、
前記第１扁平管の上方又は下方に配置され、かつ、前記第１扁平管と対向する位置に配置された前記扁平管の前記長軸は、前記第１仮想水平面に対して、前記第１扁平管の前記長軸が前記第１仮想水平面に対して傾斜する方向と同じ方向に傾斜している請求項１〜４のいずれか１項に記載の室外機。
【請求項６】
前記第１扁平管の上方又は下方に配置され、かつ、前記第１扁平管と対向する位置に配置された前記扁平管の前記長軸は、前記第１仮想水平面に対して、前記第１扁平管の前記長軸が前記第１仮想水平面に対する傾斜角度と同じ角度で傾斜している請求項５に記載の室外機。
【請求項７】
前記複数の扁平管のそれぞれの前記第２端部を通る仮想水平面を第１仮想水平面と定義した場合に、
前記複数の扁平管のそれぞれの前記長軸は、前記第１仮想水平面に対して、前記第１扁平管の前記長軸が前記第１仮想水平面に対して傾斜する方向と同じ方向に傾斜している請求項１〜４のいずれか１項に記載の室外機。
【請求項８】
前記複数の扁平管のそれぞれの前記長軸は、前記第１仮想水平面に対して、前記第１扁平管の前記長軸が前記第１仮想水平面に対する傾斜角度と同じ角度で傾斜している請求項７に記載の室外機。
【請求項９】
前記熱交換器は、
内部に冷媒が流通する少なくとも１つの円管を更に有する請求項１〜８のいずれか１項に記載の室外機。
【請求項１０】
前記回転軸を通る仮想水平面を第２仮想水平面と定義した場合に、
前記対向部は、前記第２仮想水平面と、前記回転円とが接する点である請求項１〜９のいずれか１項に記載の室外機。
【請求項１１】
請求項１〜１０のいずれか１項に記載の室外機を備えた冷凍サイクル装置。
【発明の詳細な説明】
【技術分野】
【０００１】
本発明は、伝熱管として扁平管を備えた空気調和機等の冷凍サイクル装置に用いられる室外機、及び、当該室外機を備えた冷凍サイクル装置に関するものである。
【背景技術】
【０００２】
従来より、空気調和機等の冷凍サイクル装置に用いられる室外機において、扁平管を搭載した室外機が提案されている（特許文献１参照）。
【先行技術文献】
【特許文献】
【０００３】
【特許文献１】特開平１０−２２０９８９号公報
【発明の概要】
【発明が解決しようとする課題】
【０００４】
特許文献１の空気調和機の室外機は、複数の扁平管が上下方向に配置され、それぞれの扁平管は、水平方向に互いに平行に設けられている。また、それぞれの扁平管は、管路の垂直断面において長軸方向が水平方向と平行になるように設けられている。ここで、室外機内において、熱交換器が送風機の回転軸に対して半径方向に配置される場合、熱交換器と送風機との距離が近いため、熱交換器の扁平管の間を通過して送風機に流入する空気の風速が高くなる。そのため、風速の高い空気と、送風機の回転翼との衝突により通風抵抗が生じ、また、騒音が発生する。【０００５】
本発明は、上記のような課題を解決するものであり、熱交換器が送風機の回転軸に対して半径方向に配置される場合に、通風抵抗を低減させて騒音を抑制する室外機、及び、当該室外機を備えた冷凍サイクル装置を提供するものである。
【課題を解決するための手段】
【０００６】
本発明の室外機は、筐体と、筐体の内部に配置され、仮想の回転軸に対して半径方向に配置された複数の回転翼によって筐体内を通過する空気の流れを形成する軸流送風機と、上下方向に間隔をあけて配置された複数の扁平管を有し、筐体の内部において軸流送風機の回転軸に対して半径方向に配置されると共に、軸流送風機の形成する空気の流れにおいて軸流送風機の風上側に配置される熱交換器と、を備え、複数の扁平管のそれぞれは、軸流送風機の配置側に位置する第１端部と、第１端部に対して、熱交換器を通過する空気の流れの風上側に位置する第２端部と、を通る長軸を有する扁平形状であり、回転翼の先端部が描く回転円において、熱交換器に最も近い位置となる対向部の接線であって、回転翼の回転方向のベクトルを第１ベクトルと定義し、複数の扁平管の中で対向部に最も近い位置に配置された第１扁平管において、第２端部を基点として第１端部を通過するベクトルを第２ベクトルと定義した場合に、第１ベクトルと第２ベクトルとのなす角が９０度未満である。
【発明の効果】
【０００７】
本発明の室外機は、筐体の内部において軸流送風機の回転軸に対して半径方向に熱交換器が配置されている。そして、室外機は、第１ベクトルと第２ベクトルとのなす角が、９０度未満である。この第１ベクトルは、回転翼の先端部が描く回転円において、熱交換器に最も近い位置となる対向部の接線であって、回転翼の回転方向のベクトルである。また、第２ベクトルは、複数の扁平管の中で対向部に最も近い位置に配置された第１扁平管において、第２端部を基点として第１端部を通過するベクトルである。室外機は、第１ベクトルと第２ベクトルとのなす角が９０度未満であるため、回転翼に最も近い位置に配置された第１扁平管の傾斜に伴い熱交換器を通過する空気の流入方向と、軸流送風機の回転方向とが同じ方向である。その結果、室外機、及び、当該室外機を備えた冷凍サイクル装置は、筐体内に流入する風速の高い空気と、回転翼との相対速度が小さくなるため、熱交換器の通風抵抗を低減でき騒音を抑制することができる。
【図面の簡単な説明】
【０００８】
【図１】本発明の実施の形態１に係る室外機の正面方向の斜視図である。
【図２】本発明の実施の形態１に係る室外機の背面方向の斜視図である。
【図３】本発明の実施の形態１に係る室外機の概略正面図である。
【図４】図３に示す室外機のＡ−Ａ線断面図である。
【図５】図３に示す室外機のＢ部における扁平管と軸流送風機の拡大概念図である。
【図６】本発明の実施の形態２に係る室外機の概略正面図である。
【図７】図６に示す室外機のＢ部における扁平管と軸流送風機の拡大概念図である。
【図８】本発明の実施の形態３に係る室外機の概略断面図である。
【図９】本発明の実施の形態４に係る室外機の概略断面図である。
【図１０】本発明の実施の形態５に係る冷凍サイクル装置の構成を示す図である。
【発明を実施するための形態】
【０００９】
以下、本発明における室外機１００、室外機１１０、室外機１２０、室外機１３０及び冷凍サイクル装置５０について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態１．
図１は、本発明の実施の形態１に係る室外機１００の正面方向の斜視図である。図２は、本発明の実施の形態１に係る室外機１００の背面方向の斜視図である。図１及び図２を用いて、室外機１００の外郭について説明する。図１を含む以下の図面に示すＸ軸は、室外機１００の左右方向を示し、Ｙ軸は室外機１００の前後方向を示し、Ｚ軸は室外機１００の上下方向を示すものである。より詳細には、室外機１００を正面から見たときＸ１側を左側、Ｘ２側を右側、Ｙ軸においてＹ１側を前側、Ｙ２側を後側、Ｚ軸においてＺ１側を上側、Ｚ２側を下側として室外機１００を説明する。また、明細書中における各構成部材同士の位置関係（例えば、上下関係等）は、原則として、室外機１００を使用可能な状態に設置したときのものである。
【００１１】
＜室外機１００＞
室外機１００は、冷蔵庫あるいは冷凍庫、自動販売機、空気調和装置、冷凍装置、給湯器などの、冷凍用途または空調用途に使用される冷凍サイクル装置に用いられる。室外機１００は、筐体１を有する。室外機１００の筐体１は、室外機１００の外郭を構成する。筐体１は、板金製であり、図１に示すように略直方体形状に構成されている。筐体１は、図１及び図２に示すように、円形状の吹出口１ａ１が形成されている前面パネル１ａと、前面パネル１ａと対向して設置され、後述する機械室４の背面を覆う背面パネル１ｂと、を有する。前面パネル１ａには、吹出口１ａ１を覆って軸流送風機１２のプロペラファン１６を保護するファンガード１ｇが取り付けられている。背面パネル１ｂには、矩形の開口部１ｂ１が形成されており、開口部１ｂ１を介して筐体１の内部に熱交換器１１が配置されている。また、筐体１は、筐体１を前方から見て後述する送風機室３側の側面に設けられた左側面パネル１ｃと、機械室４側の側面に設けられた右側面パネル１ｄと、を有する。なお、左側面パネル１ｃには、送風機室３内に外気を取り入れるための外気取入口（図示は省略）が形成されている。さらに、筐体１は、前面パネル１ａと、背面パネル１ｂと、左側面パネル１ｃと、右側面パネル１ｄと、により形成された上部開口を覆う天面パネル１ｅと、下部開口を覆う底板１ｆとを有する。この天面パネル１ｅは、熱交換器１１及び軸流送風機１２の上方を覆う。また、底板１ｆは、熱交換器１１及び軸流送風機１２の下方に配置される。
【００１２】
図３は、本発明の実施の形態１に係る室外機１００の概略正面図である。図４は、図３に示す室外機１００のＡ−Ａ線断面図である。次に、図３及び図４を用いて、室外機１００の内部構成について説明する。なお、図３に示す白抜き矢印は、軸流送風機１２によって形成される空気の流れを示したものである。空気は、左側面パネル１ｃに形成された外気取入口１ｃ１を介して筐体１の外部から内部に流入する。室外機１００は、図３及び図４に示すように、熱交換器１１と、軸流送風機１２とを有する。室外機１００はまた、図４に示すように、圧縮機１３を有する。室外機１００は、筐体１内を送風機室３と機械室４とに隔てる仕切板２を有する。仕切板２は、筐体１の内部に設けられ、底板１ｆから上方向（Ｚ軸方向）に設けられていると共に、底板１ｆの前後方向（Ｙ軸方向）に設けられている。仕切板２は、例えば、板金等を折曲して形成されている。送風機室３には、熱交換器１１と、熱交換器１１に対向するように配置された軸流送風機１２とが収納されており、機械室４には、圧縮機１３が収納されている。これらの熱交換器１１及び圧縮機１３は、底板１ｆ上に設置されている。
【００１３】
（熱交換器１１）
熱交換器１１は、筐体１内に配置され、内部を流れる冷媒と外気との熱交換を行うものである。室外機１００が空調用途の冷凍サイクル装置に使用される場合、熱交換器１１は、暖房運転時には蒸発器として機能し、冷房運転時には凝縮器として機能する。実施の形態１の熱交換器１１は、図４に示すように、軸流送風機１２の後方（Ｙ２側）と側方（Ｘ１側）とを覆うように配置されており、底板１ｆに対して垂直方向に見た場合に、Ｌ字形状に形成されている。熱交換器１１は、後方部１１ｂと側方部１１ｃとを有している。熱交換器１１の後方部１１ｂは、筐体１の内部において軸流送風機１２に対向すると共に、軸流送風機１２の形成する空気の流れにおいて軸流送風機１２の風上側に配置される。熱交換器１１の側方部１１ｃは、筐体１の内部において軸流送風機１２の回転軸Ｓ１に対する半径方向に配置される。すなわち、熱交換器１１は、軸流送風機１２の側方に配置されている。つまり、実施の形態１の熱交換器１１は、室外機１００の長手方向（Ｘ軸方向）及び短手方向（Ｙ軸方向）において前述の如く、軸流送風機１２と対向すると共に、軸流送風機１２の風上側に配置されている。なお、熱交換器１１は、底板１ｆに対して垂直方向に見た場合に、Ｌ字形状に形成された構成に限定されるものではなく、例えば、直線状に形成された構成であってもよい。この場合、複数の直線状に形成された各構成がそれぞれ軸流送風機１２の後方と側方とを覆うように配置される。また、熱交換器１１は、底板１ｆに対して垂直方向に見た場合に、Ｕ字形状に形成されたものでもよい。また、熱交換器１１は、側方部１１ｃのみを有してもよい。
【００１４】
熱交換器１１は、間隔をあけて並列に配置された複数のフィン２１と、複数のフィン２１に直交し、かつ上下方向に間隔をあけて配置された複数の扁平管２２と、を有する。扁平管２２は、伝熱管であり、管内を冷媒が通過する。複数の扁平管２２のそれぞれは、水平方向（例えば、Ｘ軸方向及びＹ軸方向）に延びるように設けられている。フィン２１は、扁平管２２を流れる冷媒と外気との間の伝熱面積を大きくするために設けられており、隣り合うフィン２１とフィン２１との間を空気が通過する。なお、図３及び図４では、熱交換器１１において、複数の扁平管２２がフィン２１に直交した場合について例示しているが、フィン２１が他の形態であってもよく、フィン２１が設けられていなくてもよい。なお、扁平管２２の詳細な構成については後述する。
【００１５】
（軸流送風機１２）
次に、図３及び図４を参照して、軸流送風機１２について説明する。軸流送風機１２は、筐体１の内部に配置され、回転軸Ｓ１に対して半径方向に配置された複数の回転翼１８によって、筐体１内を通過する空気の流れを形成する。軸流送風機１２は、モータ１５とプロペラファン１６とを備えた送風手段であり、熱交換器１１における冷媒と空気との熱交換を効率的に行うための空気の循環を生成する。軸流送風機１２のプロペラファン１６は、軸心まわりに回転されるハブ部１７と、ハブ部１７の外周部に放射状に設けられた複数の回転翼１８とを有する。すなわち、回転翼１８は、回転軸Ｓ１に対して放射状に設けられている。なお、軸流送風機１２では、３枚の回転翼１８が設けられているが、回転翼１８の枚数は限定されるものではない。回転翼１８は、熱交換器１１の配置側に位置する回転翼１８の前縁部１９において、径方向の先端に位置する先端部１９ａと、ハブ部１７との境界部分である基部１９ｂと、を有する。軸流送風機１２は、図４に示すように、筐体１の内部において、熱交換器１１の側方（Ｘ２側）及び前方（Ｙ１側）に配置されている。すなわち、軸流送風機１２は、室外機１００の長手方向（Ｘ軸方向）及び短手方向（Ｙ軸方向）において熱交換器１１と対向すると共に、熱交換器１１を通過する空気の流れの風下側に配置されている。
【００１６】
軸流送風機１２は、図３に示すように、プロペラファン１６の回転翼１８が回転方向Ｒ１に回転する。ここで回転方向Ｒ１とは、軸流送風機１２を室外機１００の前方から回転軸Ｓ１の軸方向に見た場合に、回転軸Ｓ１を中心として時計回りに回る方向である。換言すると、回転方向Ｒ１は、回転翼１８の先端部１９ａが、底板１ｆ側、熱交換器１１側、天面パネル１ｅ側、機械室４側、再び底板１ｆ側の順に位置するように回転する方向である。軸流送風機１２は、プロペラファン１６が回転することで、熱交換器１１とプロペラファン１６との間を負圧にして、筐体１の側面側（Ｘ１側）及び背面側（Ｙ２側）から筐体１の内部に外気を導入する。そして、軸流送風機１２は、プロペラファン１６が回転することで、室外機１００の内部に導入された外気を室外機１００の前面側（Ｙ１側）に向かって排出する。この際、軸流送風機１２は、熱交換器１１を通過する空気の流れを形成している。なお、軸流送風機１２と扁平管２２との関係については後述する。
【００１７】
（圧縮機１３）
圧縮機１３は、吸入した冷媒を圧縮して高温高圧ガス冷媒の状態にして吐出するものである。圧縮機１３は、例えば、ロータリー式、スクロール式又はベーン式等の圧縮機である。圧縮機１３は、インバータ装置を備えていてもよく、インバータ装置によって運転周波数を変化させて、圧縮機１３の容量を変更することができるように構成されてもよい。なお、圧縮機１３の容量とは、単位時間当たりに送り出す冷媒の量である。
【００１８】
（扁平管２２の詳細な構成）
図５は、図３に示す室外機１００のＢ部における扁平管２２と軸流送風機１２の拡大概念図である。次に、図３及び図５を用いて、熱交換器１１における扁平管２２の詳細な構成について更に説明する。複数の扁平管２２のそれぞれの断面形状は、軸流送風機１２の配置側に位置する第１端部２３と、第１端部２３に対して、熱交換器１１を通過する空気の流れの風上側に位置する第２端部２４とを通る長軸ＬＳを有する扁平形状である。複数の扁平管２２のそれぞれは、第１端部２３と第２端部２４とを通る長軸ＬＳが仮想の水平面Ｆに対して同じ方向ＤＲに傾斜している。なお、ここでいう方向ＤＲとは、水平面Ｆに対して０度より大きく９０度未満の角度において、扁平管２２の長軸ＬＳが水平面Ｆに対して傾く方向と定義する。なお、方向ＤＲは傾き方向であって、角度を定義するものではない。また、長軸ＬＳは、扁平管２２の管が延びる方向に連続しており、扁平管２２の管が延びる方向に長軸ＬＳを見た場合に、長軸ＬＳは、扁平管２２内で面を形成する。そのため方向ＤＲは、長軸ＬＳが扁平管２２の管の延びる方向に形成する面が水平面Ｆに対して傾く方向であるとも定義できる。そして、同じ方向ＤＲに傾斜しているとは、複数の扁平管２２におけるそれぞれの長軸ＬＳが、上下方向において水平面Ｆに対して同じ側に傾いていることと定義される。すなわち、ここでいう同じ方向に傾斜しているとは、複数の扁平管２２におけるそれぞれの長軸ＬＳが扁平管２２の延びる方向に形成する面が、上下方向において、水平面Ｆに対して同じ側に傾いていることと定義される。実施の形態１の熱交換器１１において、扁平管２２は、長軸ＬＳの第１端部２３が第２端部２４よりも上側に位置するように傾斜している。
【００１９】
ここで、扁平管２２の第２端部２４を通る仮想の水平面Ｆを、第１仮想水平面Ｆ１と定義する。実施の形態１の、複数の扁平管２２のそれぞれは、長軸ＬＳの第１仮想水平面Ｆ１に対する傾斜角度αが同じ角度である。すなわち、扁平管２２の長軸ＬＳが扁平管２２の延びる方向に形成する面が、第１仮想水平面Ｆ１に対して形成する角度を傾斜角度αとした場合において、複数の扁平管２２それぞれは、傾斜角度αが同じ角度である。しかし、複数の扁平管２２のそれぞれは、長軸ＬＳの傾斜角度αが同じ角度であることに限定されるものではない。複数の扁平管２２のそれぞれは、第１端部２３と第２端部２４とを通る長軸ＬＳが第１仮想水平面Ｆ１に対して同じ方向に傾斜していれば、それぞれの長軸ＬＳの傾斜角度αが異なる角度であってもよい。なお、実施の形態１のように、複数の扁平管２２において、長軸ＬＳの傾斜角度αが同じ角度である場合には、長軸ＬＳの傾斜角度αを調整する必要が無いため室外機１００を更に簡易な構造及び方法で製造することができる。
【００２０】
（扁平管２２と軸流送風機１２との関係）
次に、図３及び図５を用いて、扁平管２２と軸流送風機１２との関係について説明する。まず、軸流送風機１２が作動している状態で、軸流送風機１２を軸流送風機１２の回転軸Ｓ１方向に見た場合に、回転翼１８の回転によって回転翼１８の先端部１９ａが描く回転円を回転円Ｃ１と定義する。次に、室外機１００を軸流送風機１２の回転軸Ｓ１方向に見た場合に、この回転円Ｃ１において、熱交換器１１に最も近い位置を対向部Ｐ１と定義する。次に、回転円Ｃ１における対向部Ｐ１の接線であって、回転翼１８の回転方向Ｒ１のベクトルを第１ベクトルＬ１と定義する。次に、熱交換器１１を軸流送風機１２の回転軸Ｓ１方向に見た場合に、複数の扁平管２２の中で対向部Ｐ１に最も近い位置に配置された扁平管２２を第１扁平管２２ａと定義する。そして、第１扁平管２２ａの第２端部２４を基点として第１端部２３を通過するベクトルを第２ベクトルＬ２と定義する。室外機１００は、軸流送風機１２の回転軸Ｓ１方向に見た場合に、第１ベクトルＬ１と、第２ベクトルＬ２とのなす角θが９０度未満である。なお、回転軸Ｓ１を通る仮想の水平面を第２仮想水平面Ｆ２と定義した場合に、対向部Ｐ１は、第２仮想水平面Ｆ２と、回転円Ｃ１とが接する点であると定義することもできる。また、角θは、第１ベクトルＬ１と第２ベクトルＬ２とのなす角である。そして、室外機１００を軸流送風機１２の回転軸Ｓ１方向に見た場合に、角θは、熱交換器１１と軸流送風機１２との間で第１ベクトルＬ１に対して軸流送風機１２側の角度である。また、室外機１００を軸流送風機１２の回転軸Ｓ１方向に見た場合に、角θは、天面パネル１ｅと底板１ｆとの間で第２ベクトルＬ２に対して天面パネル１ｅ側の角度である。
【００２１】
換言すると、第１扁平管２２ａの長軸ＬＳは、回転翼１８の回転方向Ｒ１に向かって傾斜する。より詳細には、図５に示すように、第１扁平管２２ａの長軸ＬＳは、第１端部２３が、上下方向において、第２端部２４よりも上側に位置するように傾斜している。また、軸流送風機１２は、図３に示すように、回転翼１８が、熱交換器１１と隣接する位置、天面パネル１ｅと隣接する位置、底板１ｆと隣接する位置の順となる回転方向Ｒ１に回転する。
【００２２】
また、第１扁平管２２ａの上方又は下方に配置され、かつ、第１扁平管２２ａと対向する位置に配置された扁平管２２ｂについて検討する。この扁平管２２ｂの長軸ＬＳは、第１仮想水平面Ｆ１に対して、第１扁平管２２ａの長軸ＬＳが第１仮想水平面Ｆ１に対して傾斜する方向ＤＲと同じ方向に傾斜してもよい。また、第１扁平管２２ａの上方又は下方に配置され、かつ、第１扁平管２２ａと対向する位置に配置された扁平管２２ｂの長軸ＬＳは、第１仮想水平面Ｆ１に対して、第１扁平管２２ａの長軸ＬＳが第１仮想水平面Ｆ１に対する傾斜角度αと同じ角度で傾斜してもよい。
【００２３】
また、複数の扁平管２２のそれぞれの長軸ＬＳは、第１仮想水平面Ｆ１に対して、第１扁平管２２ａの長軸ＬＳが第１仮想水平面Ｆ１に対して傾斜する方向と同じ方向に傾斜してもよい。また、複数の扁平管２２のそれぞれの長軸ＬＳは、第１仮想水平面Ｆ１に対して、第１扁平管２２ａの長軸ＬＳが第１仮想水平面Ｆ１に対する傾斜角度αと同じ角度で傾斜してもよい。
【００２４】
（室外機１００の動作）
次に、室外機１００における空気の流れを説明する。まず、室外機１００は、軸流送風機１２が作動することにより、送風機室３の軸流送風機１２と熱交換器１１との間の空間が負圧状態となる。そして、室外機１００は、軸流送風機１２と熱交換器１１との間の空間が負圧状態となることにより、筐体１に形成された開口部１ｂ１及び外気取入口１ｃ１を介して筐体１の外から筐体１の内部に空気が流入する。この流入した空気は、熱交換器１１の隣接するフィン２１とフィン２１との間を通過し、また、隣接する扁平管２２と扁平管２２との間を通過することで熱交換器１１を通過する。このとき熱交換器１１では、軸流送風機１２によって筐体１内に流入した空気と、扁平管２２の内部を流れる冷媒との間で熱交換が行われる。熱交換器１１において、扁平管２２の内部を流れる冷媒との間で熱交換が行われた空気は、軸流送風機１２によって、筐体１の外に排出される。
【００２５】
以上のように、室外機１００は、筐体１の内部において軸流送風機１２の回転軸Ｓ１に対して半径方向に熱交換器１１が配置されている。そして、室外機１００は、第１ベクトルＬ１と第２ベクトルＬ２とのなす角θが９０度未満である。この第１ベクトルＬ１は、回転翼１８の先端部１９ａが描く回転円Ｃ１において、熱交換器１１に最も近い位置となる対向部Ｐ１の接線であって、回転翼１８の回転方向Ｒ１のベクトルである。また、第２ベクトルＬ２は、複数の扁平管２２の中で対向部Ｐ１に最も近い位置に配置された第１扁平管２２ａにおいて、第２端部２４を基点として第１端部２３を通過するベクトルである。室外機１００は、第１ベクトルＬ１と第２ベクトルＬ２とのなす角θが９０度未満であるため、回転翼１８に最も近い位置に配置された第１扁平管２２ａの傾斜に伴い熱交換器１１を通過する空気の流入方向と、軸流送風機１２の回転方向Ｒ１とが同じ方向である。その結果、室外機１００は、筐体１内に流入する風速の高い空気と、回転翼１８との相対速度が小さくなるため、熱交換器１１の通風抵抗を低減でき騒音を抑制することができる。また、室外機１００は、通風抵抗を低減できることで、室外機１００が必要とする出力を低減させることができる。
【００２６】
また、第１扁平管２２ａの長軸ＬＳは、回転翼１８の回転方向Ｒ１に向かって傾斜する。その結果、室外機１００は、筐体１内に流入する風速の高い空気と、回転翼１８との相対速度が小さくなるため、熱交換器１１の通風抵抗を低減でき騒音を抑制することができる。また、室外機１００は、通風抵抗を低減できることで、室外機１００が必要とする出力を低減させることができる。
【００２７】
また、第１扁平管２２ａの長軸ＬＳは、第１端部２３が、上下方向において、第２端部２４よりも上側に位置するように傾斜している。そして、軸流送風機１２は、回転翼１８が、熱交換器１１と隣接する位置、天面パネル１ｅと隣接する位置、底板１ｆと隣接する位置の順となる回転方向Ｒ１に回転する。そのため、室外機１００は、回転翼１８に最も近い位置に配置された第１扁平管２２ａの傾斜に伴い熱交換器１１を通過する空気の流入方向と、軸流送風機１２の回転方向Ｒ１とが同じ方向である。その結果、室外機１００は、筐体１内に流入する風速の高い空気と、回転翼１８との相対速度が小さくなるため、熱交換器１１の通風抵抗を低減でき騒音を抑制することができる。また、室外機１００は、通風抵抗を低減できることで、室外機１００が必要とする出力を低減させることができる。
【００２８】
また、第１扁平管２２ａの上方又は下方に配置され、かつ、第１扁平管２２ａと対向する位置に配置された扁平管２２ｂの長軸ＬＳは、第１仮想水平面Ｆ１に対して、第１扁平管２２ａの長軸ＬＳが第１仮想水平面Ｆ１に対して傾斜する方向ＤＲと同じ方向に傾斜している。室外機１００は、第１扁平管２２ａに隣接する複数の扁平管２２ｂによって第１扁平管２２ａと共に空気の流路を形成することで更に空気の流入方向を特定することができる。その結果、室外機１００は、筐体１内に流入する風速の高い空気と、回転翼１８との相対速度が更に小さくなるため、熱交換器１１の通風抵抗を低減でき騒音を抑制することができる。
【００２９】
また、第１扁平管２２ａの上方又は下方に配置され、かつ、第１扁平管２２ａと対向する位置に配置された扁平管２２ｂの長軸ＬＳは、第１仮想水平面Ｆ１に対して、第１扁平管２２ａの長軸ＬＳが第１仮想水平面Ｆ１に対する傾斜角度αと同じ角度で傾斜している。室外機１００は、第１扁平管２２ａに隣接する複数の扁平管２２ｂと、第１扁平管２２ａとが同じ角度で傾斜して共に空気の流路を形成することで更に空気の流入方向を特定することができる。その結果、室外機１００は、筐体１内に流入する風速の高い空気と、回転翼１８との相対速度が更に小さくなるため、熱交換器１１の通風抵抗を低減でき騒音を抑制することができる。
【００３０】
また、複数の扁平管２２のそれぞれの長軸ＬＳは、第１仮想水平面Ｆ１に対して、第１扁平管２２ａの長軸ＬＳが第１仮想水平面Ｆ１に対して傾斜する方向ＤＲと同じ方向に傾斜している。そのため、室外機１００は、熱交換器１１の着霜に対して除霜運転を行う際に、除霜水を長軸ＬＳが下方を向く方向に速やかに排水することができ、除霜に要する時間を短縮することができる。
【００３１】
また、実施の形態１の複数の扁平管２２のそれぞれの長軸ＬＳは、第１仮想水平面Ｆ１に対して、第１扁平管２２ａの長軸ＬＳが第１仮想水平面Ｆ１に対する傾斜角度αと同じ角度で傾斜している。そのため、室外機１００は、扁平管２２毎に長軸ＬＳの傾斜角度αを調整する必要が無いため、室外機１００は簡易な構造で製造することができる。
【００３２】
実施の形態２．
図６は、本発明の実施の形態２に係る室外機１１０の概略正面図である。図７は、図６に示す室外機１１０のＢ部における扁平管２２と軸流送風機１２の拡大概念図である。室外機１１０は、冷蔵庫あるいは冷凍庫、自動販売機、空気調和装置、冷凍装置、給湯器などの、冷凍用途または空調用途に使用される冷凍サイクル装置に用いられる。実施の形態２に係る室外機１１０は、扁平管２２の設置角度及び軸流送風機１２の回転方向が実施の形態１に係る室外機１００と異なる。図１〜図５の室外機１００と同一の構成を有する部位には同一の符号を付してその説明を省略する。実施の形態２に係る室外機１１０において特に記述しない項目については、発明の実施の形態１に係る室外機１００と同様とし、同一の機能及び構成については同一の符号を用いて述べることとする。
【００３３】
（軸流送風機１２）
軸流送風機１２は、図６及び図７に示すように、プロペラファン１６の回転翼１８が回転方向Ｒ２に回転する。ここで回転方向Ｒ２とは、軸流送風機１２を室外機１００の前方から回転軸Ｓ１の軸方向に見た場合に、回転軸Ｓ１を中心として反時計回りに回る方向である。換言すると、回転方向Ｒ２は、回転翼１８の先端部１９ａが、底板１ｆ側、機械室４側、天面パネル１ｅ側、熱交換器１１側、再び底板１ｆ側の順に位置するように回転する方向である。
【００３４】
（扁平管２２の詳細な構成）
次に、図６及び図７を用いて、熱交換器１１における扁平管２２の詳細な構成について説明する。実施の形態２の熱交換器１１において、扁平管２２は、長軸ＬＳの第１端部２３が第２端部２４よりも下側に位置するように傾斜している。
【００３５】
（扁平管２２と軸流送風機１２との関係）
次に、図６及び図７を用いて、扁平管２２と軸流送風機１２との関係について説明する。まず、軸流送風機１２が作動している状態で、軸流送風機１２を軸流送風機１２の回転軸Ｓ１方向に見た場合に、回転翼１８の回転によって回転翼１８の先端部１９ａが描く回転円を回転円Ｃ１と定義する。次に、室外機１１０を軸流送風機１２の回転軸Ｓ１方向に見た場合に、この回転円Ｃ１において、熱交換器１１に最も近い位置を対向部Ｐ１と定義する。次に、回転円Ｃ１における対向部Ｐ１の接線であって、回転翼１８の回転方向Ｒ２のベクトルを第１ベクトルＬ３と定義する。次に、熱交換器１１を軸流送風機１２の回転軸Ｓ１方向に見た場合に、複数の扁平管２２の中で対向部Ｐ１に最も近い位置に配置された扁平管２２を第１扁平管２２ａと定義する。そして、第１扁平管２２ａの第２端部２４を基点として第１端部２３を通過するベクトルを第２ベクトルＬ４と定義する。室外機１１０は、軸流送風機１２の回転軸Ｓ１方向に見た場合に、第１ベクトルＬ３と、第２ベクトルＬ４とのなす角θ２が９０度未満である。なお、回転軸Ｓ１を通る仮想水平面を第２仮想水平面Ｆ２と定義した場合に、対向部Ｐ１は、第２仮想水平面Ｆ２と、回転円Ｃ１とが接する点と定義してもよい。また、角θ２は、第１ベクトルＬ３と第２ベクトルＬ４とのなす角である。そして、室外機１１０を軸流送風機１２の回転軸Ｓ１方向に見た場合に、角θ２は、熱交換器１１と軸流送風機１２との間で第１ベクトルＬ３に対して軸流送風機１２側の角度である。また、室外機１１０を軸流送風機１２の回転軸Ｓ１方向に見た場合に、角θ２は、天面パネル１ｅと底板１ｆとの間で第２ベクトルＬ４に対して底板１ｆ側の角度である。
【００３６】
換言すると、第１扁平管２２ａの長軸ＬＳは、回転翼１８の回転方向Ｒ２に向かって傾斜する。より詳細には、図７に示すように、第１扁平管２２ａの長軸ＬＳは、第１端部２３が、上下方向において、第２端部２４よりも下側に位置するように傾斜している。また、軸流送風機１２は、図６に示すように、回転翼１８が、天面パネル１ｅと隣接する位置、熱交換器１１と隣接する位置、底板１ｆと隣接する位置の順となる回転方向Ｒ２に回転する。
【００３７】
また、第１扁平管２２ａの上方又は下方に配置され、かつ、第１扁平管２２ａと対向する位置に配置された扁平管２２ｂについて検討する。この扁平管２２ｂの長軸ＬＳは、第１仮想水平面Ｆ１に対して、第１扁平管２２ａの長軸ＬＳが第１仮想水平面Ｆ１に対して傾斜する方向ＤＲと同じ方向に傾斜してもよい。また、第１扁平管２２ａの上方又は下方に配置され、かつ、第１扁平管２２ａと対向する位置に配置された扁平管２２ｂの長軸ＬＳは、第１仮想水平面Ｆ１に対して、第１扁平管２２ａの長軸ＬＳが第１仮想水平面Ｆ１に対する傾斜角度αと同じ角度で傾斜してもよい。
【００３８】
また、複数の扁平管２２のそれぞれの長軸ＬＳは、第１仮想水平面Ｆ１に対して、第１扁平管２２ａの長軸ＬＳが第１仮想水平面Ｆ１に対して傾斜する方向と同じ方向に傾斜してもよい。また、複数の扁平管２２のそれぞれの長軸ＬＳは、第１仮想水平面Ｆ１に対して、第１扁平管２２ａの長軸ＬＳが第１仮想水平面Ｆ１に対する傾斜角度αと同じ角度で傾斜してもよい。
【００３９】
以上のように、室外機１１０は、筐体１の内部において軸流送風機１２の回転軸Ｓ１に対して半径方向に熱交換器１１が配置されている。そして、室外機１１０は、第１ベクトルＬ３と第２ベクトルＬ４とのなす角θ２が９０度未満である。この第１ベクトルＬ３は、回転翼１８の先端部１９ａが描く回転円Ｃ１において、熱交換器１１に最も近い位置となる対向部Ｐ１の接線であって、回転翼１８の回転方向Ｒ２のベクトルである。また、第２ベクトルＬ４は、複数の扁平管２２の中で対向部Ｐ１に最も近い位置に配置された第１扁平管２２ａにおいて、第２端部２４を基点として第１端部２３を通過するベクトルである。室外機１１０は、第１ベクトルＬ３と第２ベクトルＬ４とのなす角θ２が９０度未満であるため、回転翼１８に最も近い位置に配置された第１扁平管２２ａの傾斜に伴い熱交換器１１を通過する空気の流入方向と、軸流送風機１２の回転方向Ｒ２とが同じ方向である。その結果、室外機１１０は、筐体１内に流入する風速の高い空気と、回転翼１８との相対速度が小さくなるため、熱交換器１１の通風抵抗を低減でき騒音を抑制することができる。また、室外機１１０は、通風抵抗を低減できることで、室外機１１０が必要とする出力を低減させることができる。
【００４０】
また、第１扁平管２２ａの長軸ＬＳは、回転翼１８の回転方向Ｒ２に向かって傾斜する。その結果、室外機１００は、筐体１内に流入する風速の高い空気と、回転翼１８との相対速度が小さくなるため、熱交換器１１の通風抵抗を低減でき騒音を抑制することができる。また、室外機１００は、通風抵抗を低減できることで、室外機１００が必要とする出力を低減させることができる。
【００４１】
また、第１扁平管２２ａの長軸ＬＳは、第１端部２３が、上下方向において、第２端部２４よりも下側に位置するように傾斜している。そして、軸流送風機１２は、回転翼１８が、天面パネル１ｅと隣接する位置、熱交換器１１と隣接する位置、底板１ｆと隣接する位置の順となる回転方向Ｒ２に回転する。そのため、室外機１１０は、回転翼１８に最も近い位置に配置された第１扁平管２２ａの傾斜に伴い熱交換器１１を通過する空気の流入方向と、軸流送風機１２の回転方向Ｒ２とが同じ方向である。その結果、室外機１１０は、筐体１内に流入する風速の高い空気と、回転翼１８との相対速度が小さくなるため、熱交換器１１の通風抵抗を低減でき騒音を抑制することができる。また、室外機１１０は、通風抵抗を低減できることで、室外機１１０が必要とする出力を低減させることができる。
【００４２】
また、第１扁平管２２ａの上方又は下方に配置され、かつ、第１扁平管２２ａと対向する位置に配置された扁平管２２の長軸ＬＳは、第１仮想水平面Ｆ１に対して、第１扁平管２２ａの長軸ＬＳが第１仮想水平面Ｆ１に対して傾斜する方向ＤＲと同じ方向に傾斜している。室外機１１０は、第１扁平管２２ａに隣接する複数の扁平管２２によって第１扁平管２２ａと共に空気の流路を形成することで更に空気の流入方向を特定することができる。その結果、室外機１１０は、筐体１内に流入する風速の高い空気と、回転翼１８との相対速度が更に小さくなるため、熱交換器１１の通風抵抗を低減でき騒音を抑制することができる。
【００４３】
また、第１扁平管２２ａの上方又は下方に配置され、かつ、第１扁平管２２ａと対向する位置に配置された扁平管２２の長軸ＬＳは、第１仮想水平面Ｆ１に対して、第１扁平管２２ａの長軸ＬＳが第１仮想水平面Ｆ１に対する傾斜角度αと同じ角度で傾斜している。室外機１１０は、第１扁平管２２ａに隣接する複数の扁平管２２と、第１扁平管２２ａとが同じ角度で傾斜して共に空気の流路を形成することで更に空気の流入方向を特定することができる。その結果、室外機１１０は、筐体１内に流入する風速の高い空気と、回転翼１８との相対速度が更に小さくなるため、熱交換器１１の通風抵抗を低減でき騒音を抑制することができる。
【００４４】
また、複数の扁平管２２のそれぞれの長軸ＬＳは、第１仮想水平面Ｆ１に対して、第１扁平管２２ａの長軸ＬＳが第１仮想水平面Ｆ１に対して傾斜する方向ＤＲと同じ方向に傾斜している。そのため、室外機１１０は、熱交換器１１の着霜に対して除霜運転を行う際に、除霜水を長軸ＬＳが下方を向く方向に速やかに排水することができ、除霜に要する時間を短縮することができる。
【００４５】
また、複数の扁平管２２のそれぞれの長軸ＬＳは、第１仮想水平面Ｆ１に対して、第１扁平管２２ａの長軸ＬＳが第１仮想水平面Ｆ１に対する傾斜角度αと同じ角度で傾斜している。そのため、室外機１１０は、扁平管２２毎に長軸ＬＳの傾斜角度αを調整する必要が無いため、室外機１１０は簡易な構造で製造することができる。
【００４６】
実施の形態３．
＜室外機１２０＞
図８は、本発明の実施の形態３に係る室外機１２０の概略断面図である。室外機１２０は、冷蔵庫あるいは冷凍庫、自動販売機、空気調和装置、冷凍装置、給湯器などの、冷凍用途または空調用途に使用される冷凍サイクル装置に用いられる。実施の形態１に係る室外機１００は、伝熱管が全て扁平管２２で構成されているのに対し、実施の形態３に係る室外機１２０は、伝熱管の一部に円管２２ｃが含まれている点で異なる。実施の形態３に係る室外機１２０の構成は、伝熱管の構成が実施の形態１に係る室外機１００と異なるだけであり、他の構成は実施の形態１に係る室外機１００と同一である。図１〜図７の室外機１００及び室外機１１０と同一の構成を有する部位には同一の符号を付してその説明を省略する。実施の形態３に係る室外機１２０において特に記述しない項目については、発明の実施の形態１に係る室外機１００と同様とし、同一の機能及び構成については同一の符号を用いて述べることとする。
【００４７】
熱交換器１１１は、筐体１内に配置され、内部を流れる冷媒と外気との熱交換を行うものである。室外機１２０が空調用途の冷凍サイクル装置に使用される場合、熱交換器１１１は、暖房運転時には蒸発器として機能し、冷房運転時には凝縮器として機能する。熱交換器１１１は、筐体１の内部において軸流送風機１２に対向すると共に、軸流送風機１２の形成する空気の流れにおいて軸流送風機１２の風上側に配置される。熱交換器１１１は、間隔をあけて並列に配置された複数のフィン２１と、複数のフィン２１に直交し、かつ上下方向に間隔をあけて配置された複数の扁平管２２と、を有する。熱交換器１１１は、フィン２１に直交し、内部に冷媒が流通する少なくとも１つの円管２２ｃを更に有する。熱交換器１１１は、伝熱管の一部に円管２２ｃを有する点で、伝熱管の全てが扁平管２２で構成されている熱交換器１１と相違するだけであり、他の構成は熱交換器１１と同一である。なお、円管２２ｃの数は、１本以上であればよい。また、円管２２ｃは、熱交換器１１１の下端部１１ａ側に配置されることが一般的であるが、円管２２ｃは、熱交換器１１１の上下方向においてどの位置に配置されてもよい。
【００４８】
以上のように、熱交換器１１１は、内部に冷媒が流通する少なくとも１つの円管２２ｃを更に有する。一般的に、扁平管２２は、内部を構成する管が細径化されているために冷媒が流れにくい場合がある。しかし、熱交換器１１１は、熱交換器１１１全体として一部分的には冷媒が通りやすいところが必要な場合もある。熱交換器１１１は、少なくとも１つの円管２２ｃ有することで、冷媒が通りやすい部分を形成することができる。また、実施の形態１に係る室外機１００と同様に扁平管２２と軸流送風機１２との構成を有するため、室外機１１０は、通風抵抗を低減させ、騒音を抑制させることができる。
【００４９】
実施の形態４．
＜室外機１３０＞
図９は、本発明の実施の形態４に係る室外機１３０の概略断面図である。室外機１３０は、冷蔵庫あるいは冷凍庫、自動販売機、空気調和装置、冷凍装置、給湯器などの、冷凍用途または空調用途に使用される冷凍サイクル装置に用いられる。実施の形態４に係る室外機１３０は、熱交換器１１２の構成が、実施の形態１に係る室外機１００の熱交換器１１の構成と異なるだけであり、他の構成は実施の形態１に係る室外機１００と同一である。図１〜図８の室外機１００、室外機１１０又は室外機１２０と同一の構成を有する部位には同一の符号を付してその説明を省略する。実施の形態４に係る室外機１３０において特に記述しない項目については、室外機１００、室外機１１０又は室外機１２０と同様とし、同一の機能及び構成については同一の符号を用いて述べることとする。
【００５０】
室外機１３０は、熱交換器１１２を有する。熱交換器１１２は、底板１ｆに対して垂直方向に見た場合に、直線状に形成された第１熱交換器１１２ａと、直線状に形成された第２熱交換器１１２ｂとを有する。第１熱交換器１１２ａは、軸流送風機１２の回転軸Ｓ１に対する半径方向に配置されており、軸流送風機１２の側方（Ｘ１側）に配置されている。第２熱交換器１１２ｂは、軸流送風機１２に対して、軸流送風機１２が形成する空気の流れの上流側に配置されており、軸流送風機１２の後方（Ｙ２側）に配置されている。熱交換器１１２は、第１熱交換器１１２ａと第２熱交換器１１２ｂとが配管１１２ｃによって接続されている。第１熱交換器１１２ａ及び第２熱交換器１１２ｂは、それぞれ、扁平管２２を有する。なお、室外機１３０の扁平管２２と軸流送風機１２との関係は、室外機１００、室外機１１０又は室外機１２０の扁平管２２と軸流送風機１２との関係と同じである。
【００５１】
以上のように、室外機１３０は、熱交換器１１２を有する。そして、熱交換器１１２は、底板１ｆに対して垂直方向に見た場合に、直線状に形成された第１熱交換器１１２ａと、直線状に形成された第２熱交換器１１２ｂとを有する。したがって、室外機１３０は、底板１ｆに対して垂直方向に見た場合に、扁平管２２を曲げる必要がなく、簡易な構造で構成することができる。
【００５２】
実施の形態５．
［冷凍サイクル装置５０］
図１０は、本発明の実施の形態５に係る冷凍サイクル装置５０の構成を示す図である。なお、実施の形態５に係る冷凍サイクル装置５０の室外機１５０には、実施の形態１〜３に係る室外機１００、室外機１１０、室外機１２０又は室外機１３０等が用いられる。また、以下の説明では、冷凍サイクル装置５０について、空調用途に使用される場合について説明するが、冷凍サイクル装置５０は、空調用途に使用されるものに限定されるものではない。冷凍サイクル装置５０は、例えば、冷蔵庫あるいは冷凍庫、自動販売機、空気調和装置、冷凍装置、給湯器などの、冷凍用途または空調用途に使用される。
【００５３】
実施の形態５に係る冷凍サイクル装置５０は、冷媒を介して外気と室内の空気の間で熱を移動させることにより、室内を暖房又は冷房して空気調和を行う。冷凍サイクル装置５０は、室外機１５０と、室内機２００とを有する。冷凍サイクル装置５０は、室外機１５０と室内機２００とが冷媒配管３００及び冷媒配管４００により配管接続されて、冷媒が循環する冷媒回路が構成されている。冷媒配管３００は、気相の冷媒が流れるガス配管であり、冷媒配管４００は、液相の冷媒が流れる液配管である。なお、冷媒配管４００には、気液二相の冷媒を流してもよい。そして、冷凍サイクル装置５０の冷媒回路では、圧縮機１０１、流路切替装置１０２、室外熱交換器１０３、膨張弁１０５、室内熱交換器２０１が冷媒配管を介して順次接続されている。
【００５４】
（室外機１５０）
室外機１５０は、圧縮機１０１、流路切替装置１０２、室外熱交換器１０３、及び膨張弁１０５を有している。圧縮機１０１は、吸入した冷媒を圧縮して吐出する。圧縮機１０１には、上述した実施の形態１〜３の室外機１００、室外機１１０、室外機１２０又は室外機１３０等に使用される圧縮機１３等が用いられる。ここで、圧縮機１０１は、インバータ装置を備えていてもよく、インバータ装置によって運転周波数を変化させて、圧縮機１０１の容量を変更することができるように構成されてもよい。流路切替装置１０２は、例えば四方弁であり、冷媒流路の方向の切り換えが行われる装置である。冷凍サイクル装置５０は、制御装置（図示は省略）からの指示に基づいて、流路切替装置１０２を用いて冷媒の流れを切り換えることで、暖房運転又は冷房運転を実現することができる。
【００５５】
室外熱交換器１０３は、冷媒と室外空気との熱交換を行う。冷凍サイクル装置５０の室外熱交換器１０３には、上述した実施の形態１〜３の室外機１００、室外機１１０、室外機１２０又は室外機１３０等に使用される熱交換器１１、熱交換器１１１又は熱交換器１１２等が用いられる。室外熱交換器１０３は、暖房運転時には蒸発器の働きをし、冷媒配管４００から流入した低圧の冷媒と室外空気との間で熱交換を行って冷媒を蒸発させて気化させる。室外熱交換器１０３は、冷房運転時には、凝縮器の働きをし、流路切替装置１０２側から流入した圧縮機１０１で圧縮済の冷媒と室外空気との間で熱交換を行って、冷媒を凝縮させて液化させる。室外熱交換器１０３には、冷媒と室外空気との間の熱交換の効率を高めるために、室外送風機１０４が設けられている。室外送風機１０４には、上述した実施の形態１〜３の室外機１００、室外機１１０、室外機１２０又は室外機１３０等に使用される軸流送風機１２等が用いられる。室外送風機１０４は、インバータ装置を取り付け、ファンモータの運転周波数を変化させてファンの回転速度を変更してもよい。膨張弁１０５は、絞り装置（流量制御手段）であり、膨張弁１０５を流れる冷媒の流量を調節することにより、膨張弁として機能し、開度を変化させることで、冷媒の圧力を調整する。例えば、膨張弁１０５が、電子式膨張弁等で構成された場合は、制御装置（図示は省略）等の指示に基づいて開度調整が行われる。
【００５６】
（室内機２００）
室内機２００は、冷媒と室内空気との間で熱交換を行う室内熱交換器２０１及び、室内熱交換器２０１が熱交換を行う空気の流れを調整する室内送風機２０２を有する。室内熱交換器２０１は、暖房運転時には、凝縮器の働きをし、冷媒配管３００から流入した冷媒と室内空気との間で熱交換を行い、冷媒を凝縮させて液化させ、冷媒配管４００側に流出させる。室内熱交換器２０１は、冷房運転時には蒸発器の働きをし、膨張弁１０５によって低圧状態にされた冷媒と室内空気との間で熱交換を行い、冷媒に空気の熱を奪わせて蒸発させて気化させ、冷媒配管３００側に流出させる。室内送風機２０２は、室内熱交換器２０１と対面するように設けられている。室内送風機２０２の運転速度は、ユーザの設定により決定される。室内送風機２０２には、インバータ装置を取り付け、ファンモータの運転周波数を変化させて回転速度を変更してもよい。
【００５７】
［冷凍サイクル装置５０の動作例］
次に、冷凍サイクル装置５０の動作例として冷房運転動作を説明する。圧縮機１０１によって圧縮され吐出された高温高圧のガス冷媒は、流路切替装置１０２を経由して、室外熱交換器１０３に流入する。室外熱交換器１０３に流入したガス冷媒は、室外送風機１０４により送風される外気との熱交換により凝縮し、低温の冷媒となって、室外熱交換器１０３から流出する。室外熱交換器１０３から流出した冷媒は、膨張弁１０５によって膨張及び減圧され、低温低圧の気液二相冷媒となる。この気液二相冷媒は、室内機２００の室内熱交換器２０１に流入し、室内送風機２０２により送風される室内空気との熱交換により蒸発し、低温低圧のガス冷媒となって室内熱交換器２０１から流出する。このとき、冷媒に吸熱されて冷却された室内空気は、空調空気の吹出風となって、室内機２００の吹出口から空調対象空間に吹き出される。室内熱交換器２０１から流出したガス冷媒は、流路切替装置１０２を経由して圧縮機１０１に吸入され、再び圧縮される。以上の動作が繰り返される。
【００５８】
次に、冷凍サイクル装置５０の動作例として暖房運転動作を説明する。圧縮機１０１によって圧縮され吐出された高温高圧のガス冷媒は、流路切替装置１０２を経由して、室内機２００の室内熱交換器２０１に流入する。室内熱交換器２０１に流入したガス冷媒は、室内送風機２０２により送風される室内空気との熱交換により凝縮し、低温の冷媒となって、室内熱交換器２０１から流出する。このとき、ガス冷媒から熱を受け取り暖められた室内空気は、空調空気の吹出風となって、室内機２００の吹出口から空調対象空間に吹き出される。室内熱交換器２０１から流出した冷媒は、膨張弁１０５によって膨張及び減圧され、低温低圧の気液二相冷媒となる。この気液二相冷媒は、室外機１５０の室外熱交換器１０３に流入し、室外送風機１０４により送風される外気との熱交換により蒸発し、低温低圧のガス冷媒となって室外熱交換器１０３から流出する。室外熱交換器１０３から流出したガス冷媒は、流路切替装置１０２を経由して圧縮機１０１に吸入され、再び圧縮される。以上の動作が繰り返される。
【００５９】
実施の形態５に係る冷凍サイクル装置５０は、実施の形態１〜４に係る室外機１００、室外機１１０、室外機１２０又は室外機１３０を備えるため、熱交換器１１の通風抵抗を低減でき騒音を抑制することができる。また、室外機１１０は、通風抵抗を低減できることで、室外機１１０が必要とする出力を低減させることができる。
【００６０】
なお、本発明の実施の形態は、上記実施の形態１〜５に限定されず、種々の変更を加えることができる。例えば、室外機１００、室外機１１０、室外機１２０又は室外機１３０は、軸流送風機１２を１つ備えているが、軸流送風機１２を、複数備えていてもよい。また、室外機１００、室外機１１０、室外機１２０又は室外機１３０は、例えば、重力方向に配置された複数の熱交換器１１と、複数の熱交換器１１と対向する複数の軸流送風機１２と、を有してもよい。また、複数の扁平管２２のそれぞれは、第１端部２３と第２端部２４とを通る長軸ＬＳが仮想の水平面Ｆに対して同じ方向ＤＲに傾斜しているものに限定されない。複数の扁平管２２のそれぞれは、第１端部２３と第２端部２４とを通る長軸ＬＳが仮想の水平面Ｆに対してそれぞれ異なる方向に傾斜してもよい。
【符号の説明】
【００６１】
１  筐体、１ａ  前面パネル、１ａ１  吹出口、１ｂ  背面パネル、１ｂ１  開口部、１ｃ  左側面パネル、１ｃ１  外気取入口、１ｄ  右側面パネル、１ｅ  天面パネル、１ｆ  底板、１ｇ  ファンガード、２  仕切板、３  送風機室、４  機械室、１１  熱交換器、１１ａ  下端部、１１ｂ  後方部、１１ｃ  側方部、１２  軸流送風機、１３  圧縮機、１５  モータ、１６  プロペラファン、１７  ハブ部、１８  回転翼、１９  前縁部、１９ａ  先端部、１９ｂ  基部、２１  フィン、２２  扁平管、２２ａ  第１扁平管、２２ｂ  扁平管、２２ｃ  円管、２３  第１端部、２４  第２端部、５０  冷凍サイクル装置、１００  室外機、１０１  圧縮機、１０２  流路切替装置、１０３  室外熱交換器、１０４  室外送風機、１０５  膨張弁、１１０  室外機、１１１  熱交換器、１１２  熱交換器、１１２ａ  第１熱交換器、１１２ｂ  第２熱交換器、１１２ｃ  配管、１２０  室外機、１３０  室外機、１５０  室外機、２００  室内機、２０１  室内熱交換器、２０２  室内送風機、３００  冷媒配管、４００  冷媒配管。
【図１】
2020136797.tif 000003
【図２】
2020136797.tif 000004
【図３】
2020136797.tif 000005
【図４】
2020136797.tif 000006
【図５】
2020136797.tif 000007
【図６】
2020136797.tif 000008
【図７】
2020136797.tif 000009
【図８】
2020136797.tif 000010
【図９】
2020136797.tif 000011
【図１０】
2020136797.tif 000012
【国際調査報告】
2020136797.tif 000013
2020136797.tif 000014
2020136797.tif 000015
2020136797.tif 000016